(57)【要約】【課題】需要家に電力消費の抑制をより確実に行わせることが可能な電力情報管理装置、電力情報管理方法および電力情報管理プログラムを提供する。【解決手段】電力情報管理装置は、電力需要施設に関する静的な情報である静的情報を取得する取得部と、前記取得部によって取得された前記静的情報に基づいて、前記電力需要施設が複数の区分のうちのいずれに属するかを決定する分類部と、前記分類部によって決定された前記区分に対応する電力消費の抑制内容および前記抑制内容の対価の組を示す情報であって、前記電力需要施設の需要家に提示すべき提示情報を作成する情報作成部とを備える。【選択図】図７
2017037459.tif 000002
【特許請求の範囲】
【請求項１】
電力需要施設に関する静的な情報である静的情報を取得する取得部と、
前記取得部によって取得された前記静的情報に基づいて、前記電力需要施設が複数の区分のうちのいずれに属するかを決定する分類部と、
前記分類部によって決定された前記区分に対応する電力消費の抑制内容および前記抑制内容の対価の組を示す情報であって、前記電力需要施設の需要家に提示すべき提示情報を作成する情報作成部とを備える、電力情報管理装置。
【請求項２】
前記複数の区分は、前記電力需要施設における電力消費の過去の抑制内容、前記過去の抑制内容の対価、前記提示情報の示す前記抑制内容の実施の有無、および前記電力需要施設に関する静的な情報に基づいて設定される、請求項１に記載の電力情報管理装置。
【請求項３】
前記情報作成部は、複数の前記組を示し、かつ各前記組の前記対価の種類が異なる前記提示情報を作成する、請求項１または請求項２に記載の電力情報管理装置。
【請求項４】
前記取得部は、さらに、前記電力需要施設に関する動的な情報である動的情報を取得し、
前記分類部は、前記取得部によって取得された前記静的情報および前記動的情報に基づいて、前記電力需要施設が複数の区分のうちのいずれに属するかを決定する、請求項１から請求項３のいずれか１項に記載の電力情報管理装置。
【請求項５】
前記静的情報は、前記電力需要施設の建物種別、前記電力需要施設の築年数、前記電力需要施設の世帯情報、前記電力需要施設の世帯収入および前記電力需要施設の地域の少なくともいずれか１つを含む、請求項１から請求項４のいずれか１項に記載の電力情報管理装置。
【請求項６】
前記動的情報は、前記電力需要施設における電気の使用履歴を含む、請求項４に記載の電力情報管理装置。
【請求項７】
前記動的情報は、さらに、前記電力需要施設における電気以外のエネルギーの使用履歴を含む、請求項６に記載の電力情報管理装置。
【請求項８】
前記電力情報管理装置は、さらに、
複数の前記電力需要施設における電力消費の総抑制量の目標を含む目標情報を受信する受信部を備え、
前記複数の前記電力需要施設の需要家それぞれに提示する前記提示情報に基づいて求められる、前記複数の前記電力需要施設における電力消費の抑制量の合計は、前記受信部によって受信された前記目標情報に含まれる前記目標以上である、請求項１から請求項７のいずれか１項に記載の電力情報管理装置。
【請求項９】
前記情報作成部は、複数の前記電力需要施設における前記抑制内容の対価の合計が所定の上限値以下となるように、前記複数の電力需要施設の需要家にそれぞれ提示すべき提示情報を作成する、請求項１から請求項８のいずれか１項に記載の電力情報管理装置。
【請求項１０】
電力情報管理装置における電力情報管理方法であって、
電力需要施設に関する静的な情報である静的情報を取得するステップと、
取得した前記静的情報に基づいて、前記電力需要施設が複数の区分のうちのいずれに属するかを決定するステップと、
決定した前記区分に対応する電力消費の抑制内容および前記抑制内容の対価の組を示す情報であって、前記電力需要施設の需要家に提示すべき提示情報を作成するステップとを含む、電力情報管理方法。
【請求項１１】
電力情報管理装置において用いられる電力情報管理プログラムであって、コンピュータに、
電力需要施設に関する静的な情報である静的情報を取得するステップと、
取得した前記静的情報に基づいて、前記電力需要施設が複数の区分のうちのいずれに属するかを決定するステップと、
決定した前記区分に対応する電力消費の抑制内容および前記抑制内容の対価の組を示す情報であって、前記電力需要施設の需要家に提示すべき提示情報を作成するステップとを実行させるための、電力情報管理プログラム。
【発明の詳細な説明】
【技術分野】
【０００１】
本発明は、電力情報管理装置、電力情報管理方法および電力情報管理プログラムに関し、特に、電力消費の抑制を実施させるための電力情報管理装置、電力情報管理方法および電力情報管理プログラムに関する。
【背景技術】
【０００２】
従来、電力需給の逼迫時に一般家庭およびオフィス等の電力需要施設における電力消費が抑制されるように、電力需要施設における電力消費を管理するシステムが開発されている。
【０００３】
たとえば、電力需給の逼迫が予想される場合、複数の電力需要施設における電力消費を管理する事業者が、電力会社等から電力消費の抑制の要請を受ける。
【０００４】
事業者は、電力会社等からの要請の内容、および各電力需要施設における通常の消費電力量等に基づいて、各電力需要施設において抑制すべき消費電力量を設定する。そして、事業者は、設定した消費電力量の抑制を各需要家に要請する。その際、事業者は、たとえば、要請に応じて消費電力量の抑制を行うことに対する対価を各需要家に提示する。
【０００５】
事業者からの要請を受けた各需要家は、たとえば提示された対価を取得したい場合に、要請の内容に沿って自己の電力需要施設において電力消費の抑制を行う。
【０００６】
このようなシステムにおいて用いられる装置の一例として、たとえば、特許文献１（特許第５３９５９２３号公報）には、事業者が支払う対価に対する電力消費の抑制量を事前に予測するための装置が開示されている。
【０００７】
すなわち、行動モデル生成装置は、需要家の行動を時間に沿って配置した複数の行動パターンを含む複数の行動パターン群と、前記行動パターン群に設定された重み係数とを格納する行動モデル格納部と、前記複数の行動パターン群に含まれるすべての行動パターンから、前記行動パターン群の重み係数に従って、重複サンプリングを行うことで、複数の行動パターンを選択し、選択した複数の行動パターンにそれぞれ変更を加えて、複数の第１の行動パターンを生成する行動パターン生成部と、前記第１の行動パターンから、行動と機器の動作との対応を定義した機器操作モデルに従って、機器の動作を時間に沿って配置した機器操作パターンを生成する機器操作パターン生成部と、前記機器操作パターンから、機器の動作と消費電力との対応を定義した機器消費電力モデルにしたがって、消費電力の時間推移を表した消費電力データを計算する消費電力計算部と、需要家宅内の複数の機器による消費電力の時間推移を表した実測消費電力データを記憶する消費電力履歴格納部と、前記消費電力計算部により計算された消費電力データについて、前記実測消費電力データとの尤度を計算し、前記尤度に従って前記複数の第１の行動パターンから重複サンプリングにより複数の行動パターンを選択する行動パターン評価選択部と、前記行動パターン評価選択部により選択された複数の行動パターンを含む第１の行動パターン群と、前記行動モデル格納部に格納された前記複数の行動パターン群とのすべての行動パターン群の中から、最も類似する行動パターン群の組を選択し、選択した組に含まれるすべての行動パターンの一部を選択し、前記一部の複数の行動パターンを含む第２の行動パターン群によって、前記最も類似する行動パターン群の組を更新し、前記最も類似する行動パターン群の組の各重み係数の合計値を、前記第２の行動パターン群の重み係数に設定する行動モデル更新部とを備える。
【先行技術文献】
【特許文献】
【０００８】
【特許文献１】特許第５３９５９２３号公報
【発明の概要】
【発明が解決しようとする課題】
【０００９】
上記のようなシステムを用いて、事業者が対価を提示した上で需要家に電力消費の抑制を要請した場合であっても、提示された対価が需要家の嗜好等と異なるときには、需要家は、事業者の要請に応じないことが考えられる。
【００１０】
この発明は、上述の課題を解決するためになされたもので、その目的は、需要家に電力消費の抑制をより確実に行わせることが可能な電力情報管理装置、電力情報管理方法および電力情報管理プログラムを提供することである。
【課題を解決するための手段】
【００１１】
（１）上記課題を解決するために、この発明のある局面に係る電力情報管理装置は、電力需要施設に関する静的な情報である静的情報を取得する取得部と、前記取得部によって取得された前記静的情報に基づいて、前記電力需要施設が複数の区分のうちのいずれに属するかを決定する分類部と、前記分類部によって決定された前記区分に対応する電力消費の抑制内容および前記抑制内容の対価の組を示す情報であって、前記電力需要施設の需要家に提示すべき提示情報を作成する情報作成部とを備える。
【００１２】
（１０）上記課題を解決するために、この発明のある局面に係る電力情報管理方法は、電力情報管理装置における電力情報管理方法であって、電力需要施設に関する静的な情報である静的情報を取得するステップと、取得した前記静的情報に基づいて、前記電力需要施設が複数の区分のうちのいずれに属するかを決定するステップと、決定した前記区分に対応する電力消費の抑制内容および前記抑制内容の対価の組を示す情報であって、前記電力需要施設の需要家に提示すべき提示情報を作成するステップとを含む。
【００１３】
（１１）上記課題を解決するために、この発明のある局面に係る電力情報管理プログラムは、電力情報管理装置において用いられる電力情報管理プログラムであって、コンピュータに、電力需要施設に関する静的な情報である静的情報を取得するステップと、取得した前記静的情報に基づいて、前記電力需要施設が複数の区分のうちのいずれに属するかを決定するステップと、決定した前記区分に対応する電力消費の抑制内容および前記抑制内容の対価の組を示す情報であって、前記電力需要施設の需要家に提示すべき提示情報を作成するステップとを実行させるためのプログラムである。
【００１４】
本発明は、このような特徴的な処理部を備える電力情報管理装置として実現することができるだけでなく、電力情報管理装置の一部または全部を実現する半導体集積回路として実現したり、電力情報管理装置を含むシステムとして実現したりすることができる。
【発明の効果】
【００１５】
本発明によれば、需要家に電力消費の抑制をより確実に行わせることができる。
【図面の簡単な説明】
【００１６】
【図１】図１は、本発明の実施の形態に係る電力情報管理システムの概要を説明するための図である。
【図２】図２は、本発明の実施の形態に係る電力情報管理システムの構成を示す図である。
【図３】図３は、本発明の実施の形態に係る電力情報管理システムにおける端末装置のディスプレイに表示される画面の一例を示す図である。
【図４】図４は、本発明の実施の形態に係る電力情報管理システムにおける電力情報管理処理のシーケンスの一例を示す図である。
【図５】図５は、本発明の実施の形態に係る電力情報管理装置のＤＲ要請処理の一例を示すフローチャートである。
【図６】図６は、本発明の実施の形態に係る電力情報管理システムにおける予想抑制量情報について説明するための図である。
【図７】図７は、本発明の実施の形態に係る電力情報管理装置の構成の一部を示す図である。
【発明を実施するための形態】
【００１７】
最初に、本発明の実施の形態の内容を列記して説明する。
【００１８】
（１）本発明の実施の形態に係る電力情報管理装置は、電力需要施設に関する静的な情報である静的情報を取得する取得部と、前記取得部によって取得された前記静的情報に基づいて、前記電力需要施設が複数の区分のうちのいずれに属するかを決定する分類部と、前記分類部によって決定された前記区分に対応する電力消費の抑制内容および前記抑制内容の対価の組を示す情報であって、前記電力需要施設の需要家に提示すべき提示情報を作成する情報作成部とを備える。
【００１９】
このような構成により、需要家の属性等の静的な情報に基づいて電力需要施設を複数の区分に分類し、区分ごとに異なる内容の提示情報を作成することができるため、各需要家がより好む内容の対価を提示しながら、電力消費の抑制を要請することができる。したがって、需要家に電力消費の抑制をより確実に行わせることができる。
【００２０】
（２）好ましくは、前記複数の区分は、前記電力需要施設における電力消費の過去の抑制内容、前記過去の抑制内容の対価、前記提示情報の示す前記抑制内容の実施の有無、および前記電力需要施設に関する静的な情報に基づいて設定される。
【００２１】
このような構成により、たとえば、需要家が電力消費の抑制を実施する可能性の高い提示情報の内容および需要家の属性等に基づいて区分を設定することができる。
【００２２】
（３）好ましくは、前記情報作成部は、複数の前記組を示し、かつ各前記組の前記対価の種類が異なる前記提示情報を作成する。
【００２３】
このような構成により、たとえば１人の需要家に対して複数種類の対価を提示することができるため、需要家に電力消費の抑制をより確実に行わせることができる。
【００２４】
（４）好ましくは、前記取得部は、さらに、前記電力需要施設に関する動的な情報である動的情報を取得し、前記分類部は、前記取得部によって取得された前記静的情報および前記動的情報に基づいて、前記電力需要施設が複数の区分のうちのいずれに属するかを決定する。
【００２５】
このような構成により、たとえば、需要家の属性等の静的な情報および電力需要施設のエネルギーの使用状況等の動的な情報に基づいて、より適切に電力需要施設を分類することができる。
【００２６】
（５）好ましくは、前記静的情報は、前記電力需要施設の建物種別、前記電力需要施設の築年数、前記電力需要施設の世帯情報、前記電力需要施設の世帯収入および前記電力需要施設の地域の少なくともいずれか１つを含む。
【００２７】
このような構成により、静的情報として適切な情報を用いて電力需要施設を分類することができる。
【００２８】
（６）より好ましくは、前記動的情報は、前記電力需要施設における電気の使用履歴を含む。
【００２９】
このような構成により、たとえば、電力需要施設における電気の使用パターンから需要家の生活スタイルを判断し、判断結果に基づいて電力需要施設を分類することができる。
【００３０】
（７）より好ましくは、前記動的情報は、さらに、前記電力需要施設における電気以外のエネルギーの使用履歴を含む。
【００３１】
このような構成により、たとえば、電気の使用状況とガスまたは水道等の使用状況とから需要家の生活スタイルをより正確に判断し、判断結果に基づいて電力需要施設を分類することができる。
【００３２】
（８）好ましくは、前記電力情報管理装置は、さらに、複数の前記電力需要施設における電力消費の総抑制量の目標を含む目標情報を受信する受信部を備え、前記複数の前記電力需要施設の需要家それぞれに提示する前記提示情報に基づいて求められる、前記複数の前記電力需要施設における電力消費の抑制量の合計は、前記受信部によって受信された前記目標情報に含まれる前記目標以上である。
【００３３】
このような構成により、たとえば、電力系統側から通知された電力消費の抑制量の目標をより確実に達成することができるため、たとえば、電力情報管理装置を運用する事業者の信頼性を高めることができる。
【００３４】
（９）好ましくは、前記提示情報は、複数の前記電力需要施設における前記抑制内容の対価の合計が所定の上限値以下となるように、前記複数の電力需要施設の需要家にそれぞれ提示すべき提示情報を作成する。
【００３５】
このような構成により、たとえば、需要家に支払う対価の総額を抑えながら需要家に電力消費の抑制を促すことができる。
【００３６】
（１０）本発明の実施の形態に係る電力情報管理方法は、電力情報管理装置における電力情報管理方法であって、電力需要施設に関する静的な情報である静的情報を取得するステップと、取得した前記静的情報に基づいて、前記電力需要施設が複数の区分のうちのいずれに属するかを決定するステップと、決定した前記区分に対応する電力消費の抑制内容および前記抑制内容の対価の組を示す情報であって、前記電力需要施設の需要家に提示すべき提示情報を作成するステップとを含む。
【００３７】
このような方法により、需要家の属性等の静的な情報に基づいて電力需要施設を複数の区分に分類し、区分ごとに異なる内容の提示情報を作成することができるため、各需要家がより好む内容の対価を提示しながら、電力消費の抑制を要請することができる。したがって、需要家に電力消費の抑制をより確実に行わせることができる。
【００３８】
（１１）本発明の実施の形態に係る電力情報管理プログラムは、電力情報管理装置において用いられる電力情報管理プログラムであって、コンピュータに、電力需要施設に関する静的な情報である静的情報を取得するステップと、取得した前記静的情報に基づいて、前記電力需要施設が複数の区分のうちのいずれに属するかを決定するステップと、決定した前記区分に対応する電力消費の抑制内容および前記抑制内容の対価の組を示す情報であって、前記電力需要施設の需要家に提示すべき提示情報を作成するステップとを実行させるためのプログラムである。
【００３９】
このような構成により、需要家の属性等の静的な情報に基づいて電力需要施設を複数の区分に分類し、区分ごとに異なる内容の提示情報を作成することができるため、各需要家がより好む内容の対価を提示しながら、電力消費の抑制を要請することができる。したがって、需要家に電力消費の抑制をより確実に行わせることができる。
【００４０】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００４１】
図１は、本発明の実施の形態に係る電力情報管理システムの概要を説明するための図である。
【００４２】
図１は、電力の安定供給を図る仕組みであるデマンドレスポンス（ＤＲ：Ｄｅｍａｎｄ  Ｒｅｓｐｏｎｓｅ）の一例を示している。具体的には、図１を参照して、たとえば、電力会社１１は、電力需給が逼迫するおそれのある日の前日にアグリゲータ１２に電力消費の抑制要請を行う（ステップＳ１）。アグリゲータ１２は、電力会社１１から電力消費の抑制要請を受けると、自己と契約関係にある複数の需要家１０に電力消費の抑制要請を行う（ステップＳ２）。
【００４３】
アグリゲータ１２から電力消費の抑制要請を受けた需要家１０が自己の電力需要施設において電力消費の抑制を行うと、アグリゲータ１２にネガワットすなわち抑制された消費電力が提供される（ステップＳ３）。アグリゲータ１２は、各需要家１０から提供されたネガワットをまとめて電力会社１１へ提供する（ステップＳ４）。
【００４４】
電力会社１１は、アグリゲータ１２からネガワットを受け取ると、たとえばネガワットの大きさに応じた対価をアグリゲータ１２へ支払う（ステップＳ５）。アグリゲータ１２は、電力会社１１から受け取った対価を各需要家へ分配する（ステップＳ６）。
【００４５】
このように、当該電力情報管理システムでは、需要家１０に電力消費の抑制の対価を与えることにより、需要家１０に電力消費の抑制の実施を促すことができる。
【００４６】
［システムの構成］
図２は、本発明の実施の形態に係る電力情報管理システムの構成を示す図である。
【００４７】
図２を参照して、電力情報管理システム１０１は、電力会社装置２１と、電力情報管理装置２２と、記憶装置２３と、複数の施設装置３１と、複数の機器３２と、複数の端末装置３３と、複数の電気メータ３４と、複数のメータ３５とを備える。
【００４８】
電力会社装置２１は、たとえば電力会社１１によって運用されるサーバであり、たとえばインターネットであるネットワーク８経由で電力情報管理装置２２に接続される。
【００４９】
電力情報管理装置２２および記憶装置２３は、互いに接続され、たとえばアグリゲータ１２によって運営される。電力情報管理装置２２は、たとえばサーバであり、ネットワーク８経由で各施設装置３１に接続される。電力情報管理装置２２は、たとえば住宅である複数の電力需要施設１３における電力消費に関する情報を管理する。記憶装置２３は、各電力需要施設１３における各種情報を記憶する。なお、記憶装置２３は、たとえばネットワーク８経由で電力情報管理装置２２に接続される構成であってもよい。
【００５０】
各電力需要施設１３において、施設装置３１、複数の機器３２、電気メータ３４、および、たとえばガスメータまたは水道メータであるメータ３５が設置される。電力需要施設１３は、たとえば需要家１０が管理する。
【００５１】
機器３２は、たとえば、空調機器、照明機器、冷蔵庫、発電機、給湯器または蓄電池等である。機器３２は、施設装置３１と接続され、自己の消費電力等を施設装置３１に通知する。
【００５２】
電気メータ３４は、電力需要施設１３における電気の使用履歴を施設装置３１に通知する。メータ３５は、電力需要施設１３におけるガスまたは水道の使用履歴を施設装置３１に通知する。
【００５３】
施設装置３１は、たとえばＥＭＳ（Ｅｎｅｒｇｙ  Ｍａｎａｇｅｍｅｎｔ  Ｓｙｓｔｅｍ）において用いられるゲートウェイ装置である。
【００５４】
端末装置３３は、たとえば、需要家１０の使用するスマートフォン、タブレット、またはパソコン等であり、たとえば無線により施設装置３１に接続される。
【００５５】
電力会社１１は、たとえば、アグリゲータ１２への電力消費の抑制要請として、電力会社装置２１から電力情報管理装置２２へ要請情報（目標情報）を送信する。要請情報は、たとえば、複数の電力需要施設１３における電力消費の総抑制量の目標値（以下、抑制目標とも称する。）、および電力消費を抑制すべき期間を含む。
【００５６】
電力情報管理装置２２は、電力会社装置２１から要請情報を受信すると、各需要家１０への電力消費の抑制要請として、施設装置３１経由で各端末装置３３へ提示情報を送信する。
【００５７】
需要家１０は、たとえば、端末装置３３にインストールされた専用のアプリケーションを起動させ、提示情報の内容を端末装置３３の画面に表示する。端末装置３３は、需要家１０の操作を受けて、たとえば自己のディスプレイに提示情報の内容を表示し、当該内容を確認する。そして、需要家１０は、アグリゲータ１２からの電力消費の抑制要請に応じて電力需要施設１３において電力消費の抑制を実施するか否か、すなわちデマンドレスポンスに参加するか否かを判断する。
【００５８】
図３は、本発明の実施の形態に係る電力情報管理システムにおける端末装置のディスプレイに表示される画面の一例を示す図である。
【００５９】
図３は、提示情報の内容が表示された画面を示している。具体的には、図３を参照して、画面は、表示エリアＡ１１，Ｂ１１，Ｃ１１を含む。表示エリアＡ１１は、表示エリアａ１〜ａ３およびボタンａｂを含む。表示エリアａ１には、表示エリアＡ１１が「８月９日」を対象日とする「プランＡ」のデマンドレスポンスについての表示であることが表示されている。表示エリアａ２には、電力需要施設１３における過去の電力消費の平均的な推移を示すグラフが表示されている。また、電力需要施設１３において電力消費を抑制すべき期間すなわちデマンドレスポンスの対象期間が当該グラフに重ねて表示されている。
【００６０】
表示エリアａ３には、電力消費の抑制内容が表示されている。具体的には、表示エリアａ３には、デマンドレスポンスの対象期間である「時間帯」が「１３：００−１４：００」であること、および電力消費の抑制のために電力需要施設１３の需要家１０に要求される行動である「抑制行動」が「空調」を「ＯＦＦ」することであることが表示されている。
【００６１】
「抑制行動」は、たとえば、需要家１０に要請する電力消費の抑制量である要請抑制量に基づいて決定される。
【００６２】
ボタンａｂには、表示エリアａ３に表示された抑制内容の対価が表示されている。具体的には、「プランＡ」のデマンドレスポンスに「参加」した場合、需要家１０に「ＸＸＸ円」の対価が与えられることが表示されている。たとえば、需要家１０がボタンａｂに対してタップまたはクリック等の操作を行うと、端末装置３３は、「プランＡ」のデマンドレスポンスに参加する旨を示す参加情報を電力情報管理装置２２へ送信する。
【００６３】
抑制内容の対価は、たとえば、「抑制行動」によって抑制される消費電力量に応じて決定される。つまり、需要家１０に提示される当該対価は、要請抑制量に応じて決定される。以下、需要家１０に提示される抑制内容の対価を提示対価とも称する。
【００６４】
表示エリアＢ１１は、表示エリアｂ１〜ｂ３およびボタンｂｂを含む。表示エリアｂ１には、表示エリアＢ１１が「８月９日」を対象日とする「プランＢ」のデマンドレスポンスについての表示であることが表示されている。表示エリアｂ２には、電力需要施設１３における過去の電力消費の平均的な推移を示すグラフが表示されている。また、デマンドレスポンスの対象期間が当該グラフに重ねて表示されている。
【００６５】
表示エリアｂ３には、電力消費の抑制内容が表示されている。具体的には、表示エリアａ３には、デマンドレスポンスの対象期間である「時間帯」が「１３：００−１４：００」であること、および「抑制行動」が「電灯」を「ＯＦＦ」することであることが表示されている。
【００６６】
ボタンｂｂには、表示エリアｂ３に表示された抑制内容の対価が表示されている。具体的には、「プランＢ」のデマンドレスポンスに「参加」した場合、需要家１０に「Ａスーパーの時間限定クーポン券」が対価として与えられることが表示されている。たとえば、需要家１０がボタンｂｂに対してタップまたはクリック等の操作を行うと、端末装置３３は、需要家１０が「プランＢ」のデマンドレスポンスに参加する旨を示す参加情報を電力情報管理装置２２へ送信する。
【００６７】
表示エリアＣ１１は、表示エリアｃ１〜ｃ３およびボタンｃｂを含む。表示エリアｃ１には、表示エリアＣ１１が「８月９日」を対象日とする「プランＣ」のデマンドレスポンスについての表示であることが表示されている。表示エリアｃ２には、電力需要施設１３における過去の電力消費の平均的な推移を示すグラフが表示されている。また、デマンドレスポンスの対象期間が当該グラフに重ねて表示されている。
【００６８】
表示エリアｃ３には、電力消費の抑制内容が表示されている。具体的には、表示エリアｃ３には、デマンドレスポンスの対象期間である「時間帯」が「１３：００−１４：００」であること、および「抑制行動」が機器３２を使用しないように「外出」することであることが表示されている。
【００６９】
ボタンｃｂには、表示エリアｃ３に表示された抑制内容の対価が表示されている。具体的には、表示エリアｃ３に表示された抑制内容のデマンドレスポンスに「参加」した場合、需要家１０に「Ｂ遊園地の優待券」が対価として与えられることが表示されている。たとえば、需要家１０がボタンｃｂに対してタップまたはクリック等の操作を行うと、端末装置３３は、需要家１０がプランＣに参加する旨を示す参加情報を電力情報管理装置２２へ送信する。
【００７０】
このように、提示情報は、電力消費の抑制内容である「抑制行動」、および抑制内容の対価つまり「抑制行動」に対する対価の組Ｐを複数示す。提示情報において、各組Ｐにおける対価の種類は互いに異なっている。具体的には、ボタンａｂ、ボタンｂｂおよびボタンｃｂに表示された各組Ｐにおける対価は、それぞれ、金銭、「クーポン券」および「優待券」と異なっている。
【００７１】
なお、提示情報は、「抑制行動」を示す構成に限らず、たとえば電力需要施設１３に対する要請抑制量を直接的に示す構成であってもよい。
【００７２】
［動作］
次に、本発明の実施の形態に係る電力情報管理システムにおける電力情報管理処理について説明する。
【００７３】
電力情報管理システム１０１における各装置は、コンピュータを備え、当該コンピュータにおけるＣＰＵ等の演算処理部は、以下のシーケンスおよびフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００７４】
図４は、本発明の実施の形態に係る電力情報管理システムにおける電力情報管理処理のシーケンスの一例を示す図である。
【００７５】
図４では、複数の電力需要施設１３のうち、１つの電力需要施設１３における各装置の動作を代表的に示している。図４を参照して、まず、ユーザである需要家１０は、たとえば、電力需要施設１３の建物種別、当該電力需要施設１３の築年数、当該電力需要施設１３の世帯情報、当該電力需要施設１３の世帯収入および当該電力需要施設１３の地域を端末装置３３に入力する。
【００７６】
たとえば、電力需要施設１３の建物種別は、電力需要施設１３が戸建であるかまたは集合住宅であるかの別、ならびに電力需要施設１３の間取り等である。電力需要施設１３の世帯情報は、電力需要施設１３に居住する世帯に関する情報、たとえば、世帯員の人数、各世帯員の年齢、および各世帯員の性別等である。
【００７７】
次に、端末装置３３は、需要家１０の操作を受け付け（ステップＳ２１）、需要家１０が端末装置３３に入力した内容を示す需要家関連情報を施設装置３１へ送信する（ステップＳ２２）。
【００７８】
次に、施設装置３１は、端末装置３３から需要家関連情報を受信して、需要家関連情報の一部または全部を静的情報として電力情報管理装置２２へ送信する（ステップＳ２３）。静的情報は、電力需要施設１３のエネルギー消費に関する状態が変化した場合であっても内容が変化しない静的な情報である。具体的には、静的情報は、たとえば、電力需要施設１３の建物種別、当該電力需要施設１３の築年数、当該電力需要施設１３の世帯情報、当該電力需要施設１３の世帯収入および当該電力需要施設１３の地域の少なくともいずれか１つを含む情報である。
【００７９】
次に、電力情報管理装置２２は、施設装置３１から静的情報を受信して、受信した静的情報をたとえば記憶装置２３に保存する。なお、アグリゲータ１２は、需要家１０に対して行ったアンケートの結果を電力需要施設１３に関する静的な情報として記憶装置２３に保存してもよい。
【００８０】
次に、機器３２は、自己の設定内容および消費電力等を示す機器情報を施設装置３１へ送信する（ステップＳ２４）。機器３２は、たとえば定期的に機器情報を送信する。
【００８１】
次に、電気メータ３４は、電力需要施設１３における電気の使用履歴を示す消費電力情報を施設装置３１へ送信する（ステップＳ２５）。電気メータ３４は、たとえば定期的に消費電力情報を送信する。
【００８２】
次に、施設装置３１は、機器３２および電気メータ３４から機器情報および消費電力情報をそれぞれ受信して、受信したこれらの情報を動的情報として電力情報管理装置２２へ送信する。動的情報は、電力需要施設１３のエネルギー消費に関する状態の変化に応じて内容が変化する動的な情報である。ここでは、動的情報は、電力需要施設１３における電気の使用履歴を含む。
【００８３】
なお、施設装置３１は、電力需要施設１３における各機器３２の機器情報から電力需要施設１３における電気の使用履歴を算出可能な構成であってもよい。
【００８４】
また、動的情報は、電力需要施設１３における電気以外のエネルギーの使用履歴を含んでもよい。たとえば、施設装置３１は、メータ３５からガスまたは水道の使用履歴を取得して、取得した使用履歴を含む動的情報を送信してもよい。
【００８５】
次に、電力情報管理装置２２は、施設装置３１から動的情報を受信して、受信した動的情報を記憶装置２３に保存する。
【００８６】
次に、電力情報管理装置２２は、電力需要施設１３の分類処理を行う。具体的には、電力情報管理装置２２は、複数の電力需要施設１３における各施設装置３１から受信した静的情報および動的情報に基づいて、各電力需要施設１３が複数の区分（以下、施設区分とも称する）のうちのいずれに属するかを決定する。
【００８７】
たとえば、電力情報管理装置２２は、過去に各電力需要施設１３の需要家１０に提示された提示情報の示す電力消費の抑制内容、当該提示情報の示す提示対価、当該提示情報の示す抑制内容の実施の有無、および各電力需要施設１３の静的情報に基づいて、事前に施設区分を設定する。
【００８８】
具体的には、たとえば、当該提示情報の示す抑制内容の実施の有無とは、たとえば、電力需要施設１３が提示情報の示すデマンドレスポンスに参加したか否かである。
【００８９】
言い換えれば、電力情報管理装置２２は、これらの情報に基づいて、施設区分の数および各施設区分に分類されるべき電力需要施設１３の特徴または性質等を決定する。そして、電力情報管理装置２２は、たとえば、各電力需要施設１３の静的情報および動的情報を分析し、分析結果に基づいて電力需要施設１３をいずれかの施設区分に分類する。
【００９０】
具体的には、たとえば、電力情報管理装置２２は、ｋ−ｍｅａｎｓ、ＥＭアルゴリズム、またはＳＯＭ（Ｓｅｌｆ−Ｏｒｇａｎｉｚｉｎｇ  Ｍａｐ）等の手法により、各電力需要施設１３の分類たとえばクラスタリングを行う。なお、電力情報管理装置２２は、ニューラルネットワークを用いたＤｅｅｐ  Ｌｅａｒｎｉｎ、およびＫＮＮ（ｋ―ｎｅａｒｅｓｔ  ｎｅｉｇｈｂｏｒ  ａｌｇｏｒｉｔｈｍ）法等により各電力需要施設１３を分類してもよい。電力情報管理装置２２は、たとえば、定期的または不定期に各電力需要施設１３の分類を行う。
【００９１】
また、電力情報管理装置２２は、クラスタリングを行った後、各クラスタ、または各クラスタの関係について分析を行う。たとえば、電力情報管理装置２２は、クロス集計等の手法を用いて当該分析を行う。電力情報管理装置２２は、たとえば、次回クラスタリングを行う際に当該分析の結果を用いる。また、電力情報管理装置２２は、当該分析の結果および電力需要施設１３がデマンドレスポンスに参加したか否かを示す情報に基づいて、需要家１０の嗜好等の分析を行う。
【００９２】
次に、電力会社装置２１は、たとえば、電力のひっ迫が予想される日の前日に、電力情報管理装置２２へ要請情報を送信する（ステップＳ４１）。
【００９３】
次に、電力情報管理装置２２は、電力会社装置２１から要請情報を受信すると、ＤＲ要請処理を行う。たとえば、電力情報管理装置２２は、ＤＲ要請処理において、各施設区分に対応する提示情報を作成する。
【００９４】
詳細には、電力情報管理装置２２は、各施設区分に対応する電力消費の抑制内容および当該抑制内容の対価の組Ｐを示す提示情報を作成する。たとえば、同じ施設区分に分類された電力需要施設１３に対しては、同じ内容の提示情報が作成される。
【００９５】
次に、電力情報管理装置２２は、作成した提示情報を、対応する施設区分に分類された電力需要施設１３の施設装置３１へ送信する（ステップＳ４３）。
【００９６】
次に、施設装置３１は、電力情報管理装置２２から提示情報を受信して、受信した提示情報を端末装置３３へ送信する（ステップＳ４４）。
【００９７】
次に、端末装置３３は、施設装置３１から提示情報を受信して、受信した提示情報の内容を自己のディスプレイに表示する（ステップＳ４５）。たとえば、当該ディスプレイには、図３に示した画面が表示される。
【００９８】
次に、需要家１０は、画面に対してタップまたはクリック等の操作を行うことにより、提示情報の示す複数の組Ｐのうちのいずれかを１つを選択する。たとえば、需要家１０は、図３に示した例における「プランＡ」のデマンドレスポンスに参加する場合、ボタンａｂに対してタップまたはクリック等の操作を行う。
【００９９】
次に、端末装置３３は、需要家１０の操作を受け付け（ステップＳ４６）、需要家１０が「プランＡ」のデマンドレスポンスに参加する旨を示す参加情報を施設装置３１へ送信する（ステップＳ４７）。
【０１００】
次に、施設装置３１は、端末装置３３から参加情報を受信して、受信した参加情報を電力情報管理装置２２へ送信する（ステップＳ４８）。
【０１０１】
次に、電力情報管理装置２２は、各電力需要施設１３における施設装置３１から参加情報を受信して、受信した参加情報に基づいて、電力会社装置２１から受信した要請情報の含む抑制目標を達成可能であるか否かを判断する（ステップＳ４９）。電力情報管理装置２２は、たとえば、抑制目標を達成することができないと判断した場合、提示情報をまだ送信していない施設装置３１へ新たに作成した提示情報を追加的に送信する。
【０１０２】
次に、電力情報管理装置２２は、自己の受信した参加情報の送信元の施設装置３１へ、対応の電力需要施設１３における機器３２を制御するための制御情報を送信する（ステップＳ５０）。たとえば、電力情報管理装置２２は、図３に示した画面における「プランＡ」のデマンドレスポンスに参加する旨を示す参加情報を施設装置３１から受信していた場合、当該施設装置３１へ「１３：００−１４：００」において「空調」を「ＯＦＦ」するための制御情報を送信する。
【０１０３】
次に、施設装置３１は、電力情報管理装置２２から制御情報を受信して、受信した制御情報を対応の機器３２たとえば空調機器へ送信する（ステップＳ５１）。
【０１０４】
次に、機器３２は、施設装置３１から制御情報を受信して、受信した制御情報の内容に従って動作内容を変更する（ステップＳ５２）。
【０１０５】
次に、電気メータ３４は、電力需要施設１３における消費電力量等を示す消費電力情報を施設装置３１へ送信する。電気メータ３４は、上述のように、たとえば定期的に消費電力情報を送信する（ステップＳ５３）。
【０１０６】
次に、施設装置３１は、電気メータ３４から消費電力情報を受信して、受信した消費電力情報を電力情報管理装置２２へ送信する（ステップＳ５４）。
【０１０７】
［ＤＲ要請処理］
以下、ＤＲ要請処理すなわち図４におけるステップＳ４２〜Ｓ４９の動作について詳細に説明する。
【０１０８】
図５は、本発明の実施の形態に係る電力情報管理装置のＤＲ要請処理の一例を示すフローチャートである。
【０１０９】
図５を参照して、まず、電力情報管理装置２２は、たとえば、記憶装置２３に記憶された各電力需要施設１３の静的情報および過去のデマンドレスポンスへの参加履歴等に基づいて、予想抑制量情報を作成する（ステップＳ７１）。
【０１１０】
図６は、本発明の実施の形態に係る電力情報管理システムにおける予想抑制量情報について説明するための図である。
【０１１１】
予想抑制量情報は、施設区分ごとの、各電力需要施設１３に対する要請抑制量の合計値と、各電力需要施設１３の予想される電力消費の抑制量の合計値との対応関係を示すテーブルである。この例では、要請抑制量は、高、中および低の３つのレベルで規定される。
【０１１２】
具体的には、図６を参照して、たとえば、施設区分Ａに分類された各電力需要施設１３に対して高レベルの要請抑制量を提示する場合、各電力需要施設１３全体で５０ｋＷｈの電力消費の抑制が予想される。また、各電力需要施設１３に対して低レベルの要請抑制量を提示する場合、各電力需要施設１３全体で２０ｋＷｈの電力消費の抑制が予想される。
【０１１３】
なお、図６のテーブルは、たとえば、電力需要施設１３に対して高レベルの要請抑制量を提示する場合には高いレベルの対価を提示し、電力需要施設１３に対して低レベルの要請抑制量を提示する場合には低いレベルの対価を提示するという前提で作成されたものである。
【０１１４】
再び図５を参照して、次に、電力情報管理装置２２は、予想抑制量情報に基づいて、電力会社装置２１から受信した要請情報の示す抑制目標を達成することができるように、各施設区分の電力需要施設１３に対する要請抑制量および提示対価を決定する（ステップＳ７２）。
【０１１５】
詳細には、電力情報管理装置２２は、抑制目標を達成可能な範囲において、提示対価の総額が最も小さくなるように、各施設区分に対応する要請抑制量および提示対価を決定する。
【０１１６】
ここでは、電力情報管理装置２２は、各施設区分における所定の割合の電力需要施設１３に提示情報を送信する前提で、各施設区分に対応する要請抑制量および提示対価を決定する。
【０１１７】
次に、電力情報管理装置２２は、複数の電力需要施設１３における電力消費の抑制量の合計が電力系統側すなわち電力会社装置２１から通知された抑制目標以上となるように、複数の電力需要施設１３の需要家１０にそれぞれ提示すべき提示情報を作成する。
【０１１８】
具体的には、電力情報管理装置２２は、施設区分ごとに、決定した要請抑制量および提示対価の組Ｐを示す提示情報を作成する。そして、電力情報管理装置２２は、作成した提示情報を対応の施設区分に分類された電力需要施設１３の施設装置３１に送信する（ステップＳ７３）。詳細には、提示情報は、たとえば、各施設区分における上記所定の割合の電力需要施設１３の施設装置３１に送信される。
【０１１９】
たとえば、電力情報管理装置２２は、提示情報が提示された場合にデマンドレスポンスに参加する可能性の高い電力需要施設１３の施設装置３１に当該提示情報を送信する。
【０１２０】
ここで、各電力需要施設１３において実際に抑制された消費電力の合計値が抑制目標を大きく上回った場合、電力系統が不安定になることがある。このため、電力情報管理装置２２は、実際に抑制される消費電力の合計値が抑制目標を大きく上回らないように提示情報を作成する。
【０１２１】
次に、電力情報管理装置２２は、各施設装置３１から送信された参加情報を受信する（ステップＳ７４）。電力情報管理装置２２は、自己の受信した参加情報の送信元の電力需要施設１３においては、当該電力需要施設１３へ送信した提示情報の示す抑制内容が実行されると判断する。
【０１２２】
次に、電力情報管理装置２２は、各電力需要施設１３において期待できる電力消費の抑制量の合計値が抑制目標に達したか否かを判断する（ステップＳ７５）。
【０１２３】
電力情報管理装置２２は、電力需要施設１３において期待できる電力消費の抑制量の合計値が抑制目標に達した場合（ステップＳ７５でＹＥＳ）、ＤＲ要請処理を終了する。
【０１２４】
一方、電力情報管理装置２２は、たとえば、電力消費の抑制を開始すべき時刻の所定時間前の時点で、各電力需要施設１３において期待できる電力消費の抑制量の合計値が抑制目標に達しない場合（ステップＳ７５でＮＯ）、まだ提示情報を送信していない電力需要施設１３に対する要請抑制量および提示対価を、予想抑制量情報に基づいて設定する。また、電力情報管理装置２２は、提示情報に応答しない電力需要施設１３つまり提示情報を受信したにもかかわらず参加情報を送信してこない端末装置３３の電力需要施設１３に対する要請抑制量および提示対価を再度設定してもよい。
【０１２５】
そして、電力情報管理装置２２は、設定した要請抑制量および提示対価の組Ｐを示す提示情報を作成し、作成した提示情報を対応の電力需要施設１３における施設装置３１に送信する（ステップＳ７３）。
【０１２６】
図７は、本発明の実施の形態に係る電力情報管理装置の構成の一部を示す図である。
【０１２７】
図７を参照して、電力情報管理装置２２は、受信部７１と、処理部（情報作成部）７２と、送信部７３と、分類部７４と、取得部７５と、設定部７６とを備える。
【０１２８】
記憶装置２３は、たとえば、各電力需要施設１３の施設装置３１から電力情報管理装置２２が受信した静的情報および動的情報と、電力情報管理装置２２が各電力需要施設１３の施設装置３１へ送信した提示情報と、当該提示情報の示す抑制内容が各電力需要施設１３において実施されたか否かつまり各電力需要施設１３がデマンドレスポンスに参加したか否かを示す情報とを記憶している。
【０１２９】
また、記憶装置２３は、たとえば、各需要家１０の嗜好に関する嗜好情報を記憶している。具体的には、たとえば、嗜好情報は、需要家１０の好む対価の種類を示す。
【０１３０】
より具体的には、たとえば、嗜好情報は、電力需要施設１３に過去に提示された提示情報の示す提示対価の種類と、電力需要施設１３がデマンドレスポンスに参加した回数との対応関係を示す。たとえば、処理部７２が記憶装置２３に記憶された各種情報に基づいて嗜好情報を作成する。
【０１３１】
受信部７１は、施設装置３１から送信された各種情報を受信して、受信した情報を処理部７２へ出力する。たとえば、受信部７１は、電力需要施設１３に関する静的な情報である静的情報を施設装置３１から受信して、受信した静的情報を処理部７２へ出力する。処理部７２は、受信部７１から受けた静的情報を記憶装置２３に保存する。
【０１３２】
また、受信部７１は、電力需要施設に関する動的な情報である動的情報を施設装置３１から受信して、受信した動的情報を処理部７２へ出力する。処理部７２は、受信部７１から受けた動的情報を記憶装置２３に保存する。
【０１３３】
取得部７５は、記憶装置２３に保存された各種情報を取得する。設定部７６は、取得部７５経由で記憶装置２３の記憶する各種情報を取得し、取得した情報に基づいて施設区分を設定する。
【０１３４】
具体的には、たとえば、設定部７６は、電力需要施設１３における電力消費の過去の抑制内容、当該過去の抑制内容の対価、電力需要施設１３へ送信した提示情報の示す抑制内容の実施の有無、および電力需要施設１３に関する静的な情報に基づいて、複数の施設区分を設定する。
【０１３５】
より具体的には、たとえば、設定部７６は、過去に各電力需要施設１３に対して提示した提示情報の示す電力消費の抑制内容および提示対価と、当該提示情報の示す抑制内容の実施の有無と、各電力需要施設１３の静的情報とに基づいて、複数の施設区分を設定する。設定部７６は、設定した施設区分に関する施設区分情報を記憶装置２３に保存する。
【０１３６】
分類部７４は、取得部７５経由で施設区分情報、静的情報および動的情報を取得し、取得したこれらの情報を用いて上述の分類処理を行う。具体的には、たとえば、分類部７４は、取得部７５によって取得された静的情報および動的情報に基づいて、電力需要施設１３が複数の施設区分のうちのいずれに属するかを決定する。分類部７４は、各電力需要施設１３が分類された施設区分を示す区分情報を記憶装置２３に保存する。
【０１３７】
受信部７１は、電力会社装置２１から送信された要請情報を受信して、受信した要請情報を処理部７２へ出力する。要請情報は、たとえば、複数の電力需要施設１３における電力消費の総抑制量の目標すなわち抑制目標を含む情報である。抑制目標は、数値で示されてもよいし、「高」または「低」等のレベルで示されてもよい。
【０１３８】
処理部７２は、受信部７１から要請情報を受信すると、上述のＤＲ要請処理を行う。具体的には、たとえば、処理部７２は、区分情報を取得部７５経由で取得し、取得した区分情報に基づいて各施設区分を認識する。また、処理部７２は、たとえば、自己の電力情報管理装置２２が各電力需要施設１３の施設装置３１へ送信した提示情報と、当該提示情報の示す抑制内容が各電力需要施設１３において実施されたか否かを示す情報とを取得部７５経由で取得し、取得したこれらの情報に基づいて予想抑制量情報を作成する。
【０１３９】
そして、処理部７２は、作成した予想抑制量情報に基づいて、施設区分ごとに、需要家１０に提示する要請抑制量および提示対価を決定する。より具体的には、処理部７２は、
複数の電力需要施設１３における電力消費の抑制量の合計が、受信部７１から受けた要請情報の含む抑制目標以上となるように、かつ、抑制目標を達成可能な範囲において、提示対価の総額が最も小さくなるように、各施設区分に対応する要請抑制量および提示対価を決定する。
【０１４０】
たとえば、処理部７２は、提示対価を決定する際、取得部７５経由で嗜好情報を取得し、取得した嗜好情報に基づいて、提示対価の種類を決定する。
【０１４１】
処理部７２は、施設区分ごとに、決定した要請抑制量および提示対価の組Ｐを示す提示情報を作成する。なお、処理部７２は、当該要請抑制量に基づいて需要家１０の行うべき抑制行動を決定し、決定した抑制行動および提示対価の組Ｐを示す提示情報を作成してもよい。
【０１４２】
複数の電力需要施設１３の需要家１０にそれぞれ提示する提示情報に基づいて求められる、当該複数の電力需要施設１３における電力消費の抑制量Ｒの合計は、要請情報に含まれる抑制目標以上となっている。抑制量Ｒは、決定した要請抑制量、または決定した抑制行動によって抑制される消費電力量である。
【０１４３】
また、処理部７２は、たとえば、金銭に換算した場合の対価の合計値が所定の上限以下となるように提示対価を決定し、決定した提示対価を示す提示情報を作成する構成であってもよい。
【０１４４】
提示情報は、たとえば、図３を用いて説明したように、複数の組Ｐを示し、各組Ｐの対価は種類が異なる。
【０１４５】
処理部７２は、作成した提示情報を送信部７３へ出力する。送信部７３は、処理部７２から受けた提示情報を対応の施設区分に分類された施設装置３１へ送信する。また、処理部７２は、作成した提示情報を記憶装置２３に保存する。
【０１４６】
なお、本発明の実施の形態に係る電力情報管理装置２２では、分類部７４は、静的情報および動的情報の両方に基づいて、電力需要施設１３が複数の施設区分のうちのいずれに属するかを決定する構成であるとしたが、これに限定するものではない。たとえば、分類部７４は、静的情報に基づいて、かつ動的情報に基づかずに、電力需要施設１３が複数の施設区分のうちのいずれに属するかを決定する構成であってもよい。
【０１４７】
また、本発明の実施の形態に係る電力情報管理装置２２は、設定部７６を備える構成であるとしたが、これに限定するものではない。たとえば、設定部７６は、電力情報管理装置２２の外部に設けられてもよい。この場合、設定部７６は、たとえば、取得部７５が記憶装置２３から取得した情報以外の情報を用いて施設区分情報を作成してもよい。
【０１４８】
ところで、アグリゲータが対価を提示した上で需要家１０に電力消費の抑制を要請した場合であっても、提示された対価が需要家１０の嗜好等と異なるときには、需要家１０は、アグリゲータの要請に応じないことが考えられる。
【０１４９】
これに対して、本発明の実施の形態に係る電力情報管理装置では、取得部７５は、電力需要施設１３に関する静的な情報である静的情報を取得する。分類部７４は、取得部７５によって取得された静的情報に基づいて、電力需要施設１３が複数の施設区分のうちのいずれに属するかを決定する。提示情報は、分類部７４によって決定された施設区分に対応する電力消費の抑制内容および当該抑制内容の対価の組Ｐを示す情報であって、電力需要施設１３の需要家１０に提示すべき情報である。処理部７２は、提示情報を作成する。
【０１５０】
このような構成により、需要家１０の属性等の静的な情報に基づいて電力需要施設１３を複数の施設区分に分類し、施設区分ごとに異なる内容の提示情報を作成することができるため、各需要家１０がより好む内容の対価を提示しながら、電力消費の抑制を要請することができる。したがって、需要家１０に電力消費の抑制をより確実に行わせることができる。
【０１５１】
また、本発明の実施の形態に係る電力情報管理装置２２では、複数の施設区分は、電力需要施設１３における電力消費の過去の抑制内容、過去の抑制内容の対価、提示情報の示す抑制内容の実施の有無、および電力需要施設１３に関する静的な情報に基づいて設定される。
【０１５２】
このような構成により、たとえば、需要家１０が電力消費の抑制を実施する可能性の高い提示情報の内容および需要家１０の属性等に基づいて施設区分を設定することができる。
【０１５３】
また、本発明の実施の形態に係る電力情報管理装置では、処理部７２は、複数の組Ｐを示し、かつ各組Ｐの対価の種類が異なる提示情報を作成する。
【０１５４】
このような構成により、たとえば１人の需要家１０に対して複数種類の対価を提示することができるため、需要家１０に電力消費の抑制をより確実に行わせることができる。
【０１５５】
また、本発明の実施の形態に係る電力情報管理装置では、取得部７５は、さらに、電力需要施設１３に関する動的な情報である動的情報を取得する。分類部７４は、取得部７５によって取得された静的情報および動的情報に基づいて、電力需要施設１３が複数の施設区分のうちのいずれに属するかを決定する。
【０１５６】
このような構成により、たとえば、需要家１０の属性等の静的な情報および電力需要施設１３のエネルギーの使用状況等の動的な情報に基づいて、より適切に電力需要施設１３を分類することができる。
【０１５７】
また、本発明の実施の形態に係る電力情報管理装置では、動的情報は、電力需要施設１３における電気の使用履歴を含む。
【０１５８】
このような構成により、たとえば、電力需要施設１３における電気の使用パターンから需要家１０の生活スタイルを判断し、判断結果に基づいて電力需要施設１３を分類することができる。
【０１５９】
また、本発明の実施の形態に係る電力情報管理装置では、動的情報は、さらに、電力需要施設１３における電気以外のエネルギーの使用履歴を含む。
【０１６０】
このような構成により、たとえば、電気の使用状況とガスまたは水道等の使用状況とから需要家１０の生活スタイルをより正確に判断し、判断結果に基づいて電力需要施設１３を分類することができる。
【０１６１】
また、本発明の実施の形態に係る電力情報管理装置では、静的情報は、電力需要施設１３の建物種別、電力需要施設１３の築年数、電力需要施設１３の世帯情報、電力需要施設１３の世帯収入および電力需要施設１３の地域の少なくともいずれか１つを含む。
【０１６２】
このような構成により、静的情報として適切な情報を用いて電力需要施設１３を分類することができる。
【０１６３】
また、本発明の実施の形態に係る電力情報管理装置では、受信部７１は、複数の電力需要施設１３における電力消費の総抑制量の目標である抑制目標を含む要請情報を受信する。複数の電力需要施設１３の需要家１０にそれぞれ提示する提示情報に基づいて求められる、当該複数の電力需要施設１３における電力消費の抑制量の合計は、受信部７１によって受信された要請情報に含まれる抑制目標以上である。
【０１６４】
このような構成により、電力系統側から通知された電力抑制量の目標をより確実に達成することができるため、たとえば、電力情報管理装置を運用する事業者の信頼性を高めることができる。
【０１６５】
また、本発明の実施の形態に係る電力情報管理装置では、処理部７２は、複数の電力需要施設１３における抑制内容の対価の合計が所定の上限値以下となるように、複数の電力需要施設１３の需要家１０にそれぞれ提示すべき提示情報を作成する。
【０１６６】
このような構成により、たとえば、需要家１０に支払う対価の総額を抑えながら需要家１０に電力消費の抑制を促すことができる。
【０１６７】
なお、本発明の実施の形態に係る電力情報管理装置の機能の一部または全部が、クラウドコンピューティングによって提供されてもよい。すなわち、本発明の実施の形態に係る電力情報管理装置が、複数のクラウドサーバ等によって構成されてもよい。
【０１６８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６９】
以上の説明は、以下に付記する特徴を含む。
【０１７０】
［付記１］
電力需要施設に関する静的な情報である静的情報を取得する取得部と、
前記取得部によって取得された前記静的情報に基づいて、前記電力需要施設が複数の区分のうちのいずれに属するかを決定する分類部と、
前記分類部によって決定された前記区分に対応する電力消費の抑制内容および前記抑制内容の対価の組を示す情報であって、前記電力需要施設の需要家に提示すべき提示情報を作成する情報作成部とを備え、
前記情報作成部は、複数の前記電力需要施設における電力消費の抑制量の合計が電力系統側から通知された電力消費の抑制量の目標以上となり、かつ前記対価の合計が最も小さくなるように、各前記区分に対応する前記抑制内容および前記対価を決定する、電力情報管理装置。
【符号の説明】
【０１７１】
８    ネットワーク
１０  需要家
１１  電力会社
１２  アグリゲータ
１３  電力需要施設
２１  電力会社装置
２２  電力情報管理装置
２３  記憶装置
３１  施設装置
３２  機器
３３  端末装置
３４  電気メータ
３５  メータ
７１  受信部
７２  処理部
７３  送信部
７４  分類部
７５  取得部
７６  設定部
１０１  電力情報管理システム
【図１】
2017037459.tif 000003
【図２】
2017037459.tif 000004
【図３】
2017037459.tif 000005
【図４】
2017037459.tif 000006
【図５】
2017037459.tif 000007
【図６】
2017037459.tif 000008
【図７】
2017037459.tif 000009